【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群、負の屈折力の第２レンズ群、第３レンズ群より構成され、フォーカシングに際して前記第２レンズ群が移動し、隣り合うレンズ群の間隔が変化する撮像光学系において、
前記第１レンズ群は、単一レンズ又は接合レンズよりなる正レンズ成分を最も像側に有し、前記第２レンズ群は１つの負レンズからなり、
全系の焦点距離をｆ、前記第１レンズ群の焦点距離をｆ１、前記正レンズ成分の焦点距離をｆ１ｐ、前記第２レンズ群の焦点距離をｆ２ｎ、前記正レンズ成分の物体側のレンズ面の曲率半径をＲｐ１、前記正レンズ成分の物体側のレンズ（正レンズ成分が単一のレンズよりなるときは該レンズ）の材料の屈折率をＮｐ、前記第２レンズ群の負レンズの像側のレンズ面の曲率半径をＲｎ２、前記第２レンズ群の負レンズの材料の屈折率をＮｎとするとき、
−０．２０＜ｆ２ｎ／ｆ＜−０．０１
０．９５＜（Ｎｐ×Ｒｐ１）／（Ｎｎ×Ｒｎ２）＜３．００
０．４０＜ｆ１ｐ／ｆ１＜１．２０
なる条件式を満たすことを特徴とする撮像光学系。
【請求項２】
無限遠にフォーカスしているときの前記正レンズ成分の物体側のレンズ面から前記第２レンズ群の像側のレンズ面までの光軸上の距離をＤ１ｐ２ｎ、レンズ全長をＬとするとき、
０．０１＜Ｄ１ｐ２ｎ／Ｌ＜０．１０
なる条件式を満たすことを特徴とする請求項１に記載の撮像光学系。
【請求項３】
前記第１レンズ群の最も物体側のレンズの焦点距離をｆ１１、前記第１レンズ群の最も物体側のレンズの材料のアッベ数をν１１、前記第２レンズ群の負レンズの材料のアッベ数をν２ｎとするとき、
−０．４５＜（ｆ２ｎ×ν２ｎ）／（ｆ１１×ν１１）＜−０．０５
なる条件式を満たすことを特徴とする請求項１又は２に記載の撮像光学系。
【請求項４】
前記第３レンズ群の横倍率をβＲとするとき、
０．７８＜βＲ＜３．００
なる条件式を満たすことを特徴とする請求項１乃至３のいずれか１項に記載の撮像光学系。
【請求項５】
−１．５＜ｆ２ｎ／ｆ１ｐ＜−０．２
なる条件式を満たすことを特徴とする請求項１乃至４のいずれか１項に記載の撮像光学系 
【請求項６】
瞳近軸光線が光軸と交わる位置よりも物体側に少なくとも１つの回折光学素子を有することを特徴とする請求項１乃至５のいずれか１項に記載の撮像光学系。
【請求項７】
請求項１乃至６のいずれか１項に記載の撮像光学系と、該撮像光学系によって形成される像を受光する撮像素子を有することを特徴とする撮像装置。
【手続補正２】
【補正対象書類名】明細書
【補正対象項目名】０００８
【補正方法】変更
【補正の内容】
【０００８】
本発明の撮像光学系は、物体側から像側へ順に配置された、正の屈折力の第１レンズ群、負の屈折力の第２レンズ群、第３レンズ群より構成され、フォーカシングに際して前記第２レンズ群が移動し、隣り合うレンズ群の間隔が変化する撮像光学系において、
前記第１レンズ群は、単一レンズ又は接合レンズよりなる正レンズ成分を最も像側に有し、前記第２レンズ群は１つの負レンズからなり、
全系の焦点距離をｆ、前記第１レンズ群の焦点距離をｆ１、前記正レンズ成分の焦点距離をｆ１ｐ、前記第２レンズ群の焦点距離をｆ２ｎ、前記正レンズ成分の物体側のレンズ面の曲率半径をＲｐ１、前記正レンズ成分の物体側のレンズ（正レンズ成分が単一のレンズよりなるときは該レンズ）の材料の屈折率をＮｐ、前記第２レンズ群の負レンズの像側のレンズ面の曲率半径をＲｎ２、前記第２レンズ群の負レンズの材料の屈折率をＮｎとするとき、
−０．２０＜ｆ２ｎ／ｆ＜−０．０１
０．９５＜（Ｎｐ×Ｒｐ１）／（Ｎｎ×Ｒｎ２）＜３．００
０．４０＜ｆ１ｐ／ｆ１＜１．２０
なる条件式を満たすことを特徴としている。
【手続補正３】
【補正対象書類名】明細書
【補正対象項目名】００１１
【補正方法】変更
【補正の内容】
【００１１】
以下に本発明の好ましい実施の形態を、添付の図面に基づいて説明する。本発明の撮像光学系は、物体側から像側へ順に、正の屈折力の第１レンズ群、負の屈折力の第２レンズ群、第３レンズ群より構成される。フォーカシングに際して第２レンズ群が移動し、隣り合うレンズ群の間隔が変化する。第１レンズ群は単一レンズ又は接合レンズよりなる正レンズ成分を最も像側に有する。
【手続補正４】
【補正対象書類名】明細書
【補正対象項目名】００１７
【補正方法】変更
【補正の内容】
【００１７】
Ｌ１Ｐは第１レンズ群Ｌ１の最も像側に配置された単一レンズ又は接合レンズよりなる正レンズ成分である。Ｇは、光学フィルター、フェースプレート、水晶ローパスフィルター、赤外カットフィルター等に相当する光学ブロックである。ＩＰは像面であり、ビデオカメラやデジタルカメラの撮影光学系として使用する際には像を受光するＣＣＤセンサやＣＭＯＳセンサ等の撮像素子（光電変換素子）の撮像面に相当し、銀塩フィルム用カメラの撮像光学系とし使用する際にはフィルム面に相当する。
【手続補正５】
【補正対象書類名】明細書
【補正対象項目名】００２８
【補正方法】変更
【補正の内容】
【００２８】
このとき、
−０．２０＜ｆ２ｎ／ｆ＜−０．０１                      ・・・（１）
０．９５＜（Ｎｐ×Ｒｐ１）／（Ｎｎ×Ｒｎ２）＜３．００  ・・・（２）
０．４０＜ｆ１ｐ／ｆ１＜１．２０                        ・・・（３）
なる条件式を満たす。
【手続補正６】
【補正対象書類名】明細書
【補正対象項目名】００３２
【補正方法】変更
【補正の内容】
【００３２】
−０．１８＜ｆ２ｎ／ｆ＜−０．０６                        ・・・（１ａ）
０．９７＜（Ｎｐ×Ｒｐ１）／（Ｎｎ×Ｒｎ２）＜２．００    ・・・（２ａ）
０．６０＜ｆ１ｐ／ｆ１＜１．１０                          ・・・（３ａ）
更に好ましくは条件式（１ａ）乃至（３ａ）の数値範囲を次の如く設定するのが良い。
−０．１５＜ｆ２ｎ／ｆ＜−０．０６                        ・・・（１ｂ）
１．００＜（Ｎｐ×Ｒｐ１）／（Ｎｎ×Ｒｎ２）＜１．８０    ・・・（２ｂ）
０．６０＜ｆ１ｐ／ｆ１＜１．００                          ・・・（３ｂ）
【手続補正７】
【補正対象書類名】明細書
【補正対象項目名】００３３
【補正方法】変更
【補正の内容】
【００３３】
各実施例では、以上の構成を取ることで全体として軽量で高い光学性能を有する撮像光学系が得られる。更に好ましくは次に述べる条件式のうち、１つ以上を満足するのが良く、これによれば更なる高い光学性能が得られる。無限遠にフォーカスしているときの正レンズ成分Ｌ１Ｐの物体側のレンズ面から第２レンズ群Ｌ２の像側のレンズ面までの光軸上の距離をＤ１ｐ２ｎ、レンズ全長をＬとする。
【手続補正８】
【補正対象書類名】明細書
【補正対象項目名】００３５
【補正方法】変更
【補正の内容】
【００３５】
このとき、次の条件式のうち１つ以上を満足するのが良い。
０．０１＜Ｄ１ｐ２ｎ／Ｌ＜０．１０                              ・・・（４）
−０．４５＜（ｆ２ｎ×ν２ｎ）／（ｆ１１×ν１１）＜−０．０５  ・・・（５）
０．７８＜βＲ＜３．００                                        ・・・（６）
−１．５＜ｆ２ｎ／ｆ１ｐ＜−０．２                              ・・・（７）
【手続補正９】
【補正対象書類名】明細書
【補正対象項目名】００４０
【補正方法】変更
【補正の内容】
【００４０】
０．０２＜Ｄ１ｐ２ｎ／Ｌ＜０．０８                              ・・・（４ａ）
−０．４０＜（ｆ２ｎ×ν２ｎ）／（ｆ１１×ν１１）＜−０．０７  ・・・（５ａ）
０．７９＜βＲ＜２．００                                        ・・・（６ａ）
−０．９＜ｆ２ｎ／ｆ１ｐ＜−０．３                              ・・・（７ａ）
【手続補正１０】
【補正対象書類名】明細書
【補正対象項目名】００７３
【補正方法】変更
【補正の内容】
【００７３】
それと同時に、光線入射高の変化に応じて基準波長に対し任意波長の屈折力変化を与えることができる。このため、倍率色収差の補正に有効である。さらに本発明の撮像光学系の第１レンズ群Ｌ１のように、軸上光線がレンズ面を通過する際、光軸からの高さが高い位置を通過する面に回折光学素子を配置すれば、軸上色収差の補正にも有効である。
【手続補正１１】
【補正対象書類名】明細書
【補正対象項目名】００８８
【補正方法】変更
【補正の内容】
【００８８】
【表１】
2015215437.tif 000001